(57)【要約】【課題】  防犯機能やプライバシーの保護、通風性、採光性を確保でき、前記マンション等の集合住宅にも設置できる折戸を提供すること。【解決手段】  折戸Ａは、ガラス窓Ｇの室内側に配置されるもので、４枚折戸Ａを構成する各戸１、８、１Ａ及び８Ａには、それぞれ２組の複数のスラット２・・・が開閉可能に配置されている。  前記開口部Ｂの上部の上ガイド部Ｂ１にはハングローラーＢ４が移動自在に配置されている。一方、下ガイド部Ｂ２はレール溝Ｂ２０が形成され、このレール溝Ｂ２０をガイドストッパーＢ５の先端部が移動自在に配置されている。  このガイドストッパーＢ５に対し、出没可能に軸支持するピボット受けＢ６と、ハングローラーＢ４に対し、前記ピボット受けＢ６に芯合わせするハングローラーストッパーＢ７を設けたので、折畳まれる折戸の位置を開口部の何れか一方の一端に任意に選択することができ、使い勝手に優れた折戸となっている。【選択図】        図１
2005240414.tif 000002
【特許請求の範囲】
【請求項１】
建物の開口部を開閉する開閉装置に対し、その室内側に配置される少なくとも２組の折戸であって、
各組の折戸の各戸は、それぞれ框と、框内に開閉可能に配置される少なくとも１組の複数のスラットと、前記框の上部に配置され、且つ、前記開口部の上部の上ガイド部に沿って移動可能なハングローラーと、前記框の下部に配置され、且つ、前記開口部の下部の下ガイド部に沿って移動可能なガイドストッパーを備え、
前記各組の折戸の何れか一方の戸は、各戸の折畳みを規制する締りストッパーを備えると共に、
前記ガイドストッパーの先端部を出没可能に軸支持するピボット受けが、前記開口部の下部の両端に配置され、
前記ハングローラーを前記ピボット受けに芯合わせするハングローラーストッパーが、前記開口部の上部の両端に配置されていることを特徴とする室内用防犯折戸。
【請求項２】
建物の開口部を開閉する開閉装置に対し、その室内側に配置される１組の折戸であって、
該折戸の各戸は、それぞれ框と、框内に開閉可能に配置される少なくとも１組の複数のスラットと、前記框の上部に配置され、且つ、前記開口部の上部の上ガイド部に沿って移動可能なハングローラーと、前記框の下部に配置され、且つ、前記開口部の下部の下ガイド部に沿って移動可能なガイドストッパーを備え、
前記折戸の何れか一方の戸は、各戸の折畳みを規制する締りストッパーを備えると共に、
前記ガイドストッパーの先端部を出没可能に軸支持するピボット受けが、前記開口部の下部の何れか一端に配置され、
前記ハングローラーを前記ピボット受けに芯合わせするハングローラーストッパーが、前記開口部の上部に配置されていることを特徴とする室内用防犯折戸。
【発明の詳細な説明】
【技術分野】
【０００１】
この発明は、建物の開口部に配置されるガラス窓等の開閉装置に対し、その室内側に配置される室内用防犯折戸に関する。
【背景技術】
【０００２】
空き巣、居直り強盗等、社会不安を引起こす犯罪が問題となっている。
空き巣の家屋侵入の手口には、ピッキング等で玄関から侵入する場合の他、窓ガラスを割って、クレセント等を開錠して侵入する場合も多い。段上への足場があれば、２階等のベランダからも室内に侵入してくるケースもある。
このような社会情勢に対応するため、サッシメーカーとしての出願人は、防風、防雨、防犯、プライバシーの保護の機能を保持させつつ、通風性、採光性を発揮できる構造の開口部外装装置を社会に提供している（例えば、特許文献１参照）
【０００３】
【特許文献１】特開２００２−２５６７７６（図１、図９）
【発明の開示】
【発明が解決しようとする課題】
【０００４】
このような外装装置は、1戸建て住宅の場合には居住者の意思により自由に設置できるものの、しかし、マンション等の集合住宅では共用部分の変更に該当し、建物の区分所有等に関する法律により、居住者の自由に設置できない。
【０００５】
そこで、本願では、前記開口部外装装置が持つ防犯機能やプライバシーの保護機能を重点的に追求しつつ、通風性、採光性を確保でき、また、前記マンション等の集合住宅にも設置できる室内用防犯折戸を提供することを目的とする。
【課題を解決するための手段】
【０００６】
上記課題を解決するため、建物の開口部を開閉する開閉装置に対し、その室内側に配置される少なくとも２組の折戸であって、各組の折戸の各戸は、それぞれ框と、框内に開閉可能に配置される少なくとも１組の複数のスラットと、前記框の上部に配置され、且つ、前記開口部の上部の上ガイド部に沿って移動可能なハングローラーと、前記框の下部に配置され、且つ、前記開口部の下部の下ガイド部に沿って移動可能なガイドストッパーを備え、前記各組の折戸の何れか一方の戸は、各戸の折畳みを規制する締りストッパーを備えると共に、前記ガイドストッパーの先端部を出没可能に軸支持するピボット受けが、前記開口部の下部の両端に配置され、前記ハングローラーを前記ピボット受けに芯合わせするハングローラーストッパーが、前記開口部の上部の両端に配置されていることを特徴とする室内用防犯折戸とした（請求項１に記載の発明）。
【０００７】
ここで、開閉装置とは典型的にはガラス障子であるが、これに限定されるものではない。
また、１組の折戸とは２枚の戸を折畳み可能に取付けたもので、建物の開口部のサイズに合わせて、２組以上とするなど、その組数を加減することができる。
また、１組の複数枚のスラットとは、後述の揺動機構により同時にスラットの開閉動作が可能な単位を意味するが、折戸の上下框間の中框の上下にそれぞれ１組等、２組以上でもよい。
【０００８】
上記課題を解決するため、建物の開口部を開閉する開閉装置に対し、その室内側に配置される１組の折戸であって、該折戸の各戸は、それぞれ框と、框内に開閉可能に配置される少なくとも１組の複数のスラットと、前記框の上部に配置され、且つ、前記開口部の上部の上ガイド部に沿って移動可能なハングローラーと、前記框の下部に配置され、且つ、前記開口部の下部の下ガイド部に沿って移動可能なガイドストッパーを備え、前記折戸の何れか一方の戸は、各戸の折畳みを規制する締りストッパーを備えると共に、前記ガイドストッパーの先端部を出没可能に軸支持するピボット受けが、前記開口部の下部の何れか一端に配置され、前記ハングローラーを前記ピボット受けに芯合わせするハングローラーストッパーが、前記開口部の上部に配置されていることを特徴とする室内用防犯折戸とした（請求項２に記載の発明）。
【０００９】
ここで「開閉装置」、「１組の折戸」及び「１組の複数枚のスラット」はそれぞれ上記発明と同一の意義を有する。
【発明の効果】
【００１０】
本発明によれば、ガラス障子等による施錠と、折戸による施錠とで開口部が２重に施錠されるので、防犯機能が高まる。
また、施錠した状態でスラットを開閉できるので、採光性、通風性、日照調整、外部からの視線の遮断などのプライバシー保護を確保することができる。
また、ガラス障子の室内側に配置されるので、窓からの防犯対策が不充分なマンション等に取付けることで、防犯機能を高めることができる。
さらに、前記開口部の下ガイド部を移動可能なガイドストッパーに対し、出没可能に軸支持するピボット受けと、前記開口部の上ガイド部を移動可能なハングローラーに対し、前記ピボット受けに芯合わせするハングローラーストッパーを設けたので、折畳まれる折戸の位置を開口部の何れか一方の一端に任意に選択することができ、使い勝手に優れた折戸となっている。
【発明を実施するための最良の形態】
【００１１】
［４枚折戸］
本発明に係る室内用防犯折戸について、先ず４枚の戸からなる折戸の実施形態を図面に基づいて説明する。
図１は同折戸の室内側からの外観図、図２は同折戸の縦断面図、図３は同折戸の要部縦断面図、図４は同折戸の横断面図、図５は同折戸の竪框の要部斜視図、図６は同折戸の揺動機構の分解斜視図、図７（ａ）〜(ｃ)は同揺動機構の要部断面図、図８は同揺動機構の動作説明図、図９（ａ）〜(ｃ)は同折戸を構成するハングローラーの正面図、側面図及び平面図、図１０（ａ）及び(ｂ)は同折戸を構成するガイドストッパーの正面図及び断面図、図１１はピボット受けの取付状態図、図１２はハングローラーを規制するハングローラーストッパーの取付状態図である。
上記各図及び後述の各図において、略同一の構成は同一の符号を用いて詳細な説明を省略する。
【００１２】
図１〜図４に示したように、前記４枚折戸Ａは、例えばテラス、窓等の建物開口部Ｂに取付けられたガラス窓Ｇの室内側に配置されるもので、折戸を構成する各戸１及び戸８、戸１Ａ及び戸８Ａには、それぞれ２組の複数のスラット２・・・が開閉可能に配置されている。
前記各戸１と１Ａ、戸８と８Ａは、それぞれ略同一に構成されているので、以下の実施形態では、戸１Ａを戸１に代表させて説明し、また戸８Ａを戸８に代表させて説明する。
【００１３】
図２及び図３に示したように、前記開口部Ｂの上下部には上下ガイド部Ｂ１、Ｂ２が設けられており、上ガイド部Ｂ１は本体枠Ｂ１０、ガイド枠Ｂ１１及び調整枠Ｂ１２からなり、ガイド枠Ｂ１１にハングローラーＢ４(詳細は後述)が移動自在に配置されている。
本体枠Ｂ１０に対し調整枠Ｂ１２は、上下方向に高さ幅が調整可能に構成され、前記開口部Ｂの寸法に所定の幅で対応できるようになっている。
一方、下ガイド部Ｂ２にはレール溝Ｂ２０が形成され、このレール溝Ｂ２０に沿ってガイドストッパーＢ５の先端部(詳細は後述)が移動可能となっている。
【００１４】
図２〜図４に示したように、戸１は、框を構成する上下框１０,１１と、左右竪框１２,１３と、これら框１０〜１３により形成された框内に、中框１４を境にそれぞれ水平方向に配列された１組の複数のスラット２が配置され、これらのスラット２を揺動させる揺動機構Ｃ(詳細は後述)を備え、その揺動機構Ｃを操作するための操作スライダー１５、１５が室内側に臨んで配置されている。
【００１５】
前記左竪框１２は、外框１２０と内框１２１を備え(図４)、前記外框１２０の上部に前記ハングローラーＢ４が取付けられ（図２参照）、その下部に前記ガイドストッパーＢ５が取付けられている（図２参照）。
前記内框１２１の中空部１２１aには、前記揺動機構Ｃを構成する第１、第２の伝達部材５、６が収納されている。
【００１６】
前記内框１２１の、前記右竪框１３に対向する側面１２１ｂには、内框１２１の上下方向に沿って、遮光片１２１ｃが突設されている。
この遮光片１２１ｃは、前記スラット２を閉じたときに、室内側の光が室外に、室外側の光が室内に通過することを防ぐもので、その詳細を図５に示す。
即ち、同図に示したように、前記遮光片１２１ｃは、前記スラット２の回転軸を前記内框１２１の中空部１２１aに臨ませるための孔１２１ｄの部分を切欠いて、内框１２１の上下方向に沿って形成されている。
上下に隣接する前記スラット２を閉じた場合には、各スラット２の回転軸の上方のスラット端部が前記孔１２１ｄの上方の遮光片１２１ｃに当接し、前記回転軸の下方のスラット端部が前記孔１２１ｄの下方の遮光片１２１ｃに当接し、遮光できるようになっている。
【００１７】
前記右竪框１３は図４に図示したように、その外框１３０の室内側に締りストッパーＢ９の操作部Ｂ５３(詳細は後述)が取付けられているが、その他の構成は前記左竪框１２と略同様であるので、詳細な説明は省略する。
【００１８】
前記竪框１２、１３の室外側、前記上框１０の室外側及び中框１４の上部室外側、並びに竪框１２、１３の室外側、前記上框１０の室外側及び中框１４の上部室外側には、それぞれ網戸取付枠Ｄが設けられ、網目部材Ｄ１が取付けられている。
なお、図３において符号「９」は折戸の折畳時等に使用される取手を示す。
【００１９】
前記戸８の右竪框８２は、前記左竪框１２と略同一に、また左竪框８３は、前記右竪框１３と略同一に形成されている。
即ち、前記左右竪框８２、８３には前記遮光片１２１ｃと同様な遮光片８２１ｃ、８３１ｃが突設されている。
【００２０】
前記スラット２は、図２、図３及び図６に示したように、中央中空部２０と、この中央中空部２０の略中心に形成された回転軸２１と、前記中央中空部２０の外縁２００の上下からそれぞれ直線状に外側に延びる上下の羽根２２、２３を備えて、長尺状に成形されている。成形方法は、アルミの押出し加工でもよいし、鉄等のホーミングロールでもよい。
前記中央中空部２０は、縦長の略ロ字状に形成されており、中央中空部２０の両端が塞がれて前記回転軸２１が形成されている。この回転軸２１は前記スラット２の重心位置に略一致しているので、前記操作スライダー１５の左右のスライドにより、スラット２が軽快に回転するようになっている。
前記羽根２２、２３は、前記回転軸２１について点対称的に形成されている。前記羽根２２の先端は、室外側に略９０度に折れ曲がって形成され、また、前記羽根２３の先端は室内側に略９０度で折れ曲がって形成され、上下方向に隣接する上下羽根の先端を係合させる係合片２４が設けられている。
なお、前記羽根２２の両端部には、前記遮光片１２１ｃ、１３１ｃに当接する後当羽根部２２０が形成され、前記羽根２３の両端部には、前記遮光片１２１ｃ、１３１ｃに当接する前当羽根部２３０が形成されている（図６参照）。
【００２１】
次に、前記揺動機構Ｃの構成例を、前記戸１の中框１４上方のスラット２の揺動機構に代表させて、図６に基づいて説明する。
前記揺動機構Ｃは、前記操作スライダー１５のスライド力を回転力に変換させるねじりバー３と、その回転力をバー部材４に伝達する第１の伝達部材５と、そのバー部材４の回転力を各スラット２に伝達する第２の伝達部材６からなっている。
【００２２】
前記操作スライダー１５は、摘み片１５０と、この摘み片１５０を取付ける取付片１５１とスライダー本体１５２からなり、そのスライダー本体１５２が、前記中框１４に設けられたスライド枠１４２（図３）に沿って直線的に滑動できるように配置されている。
【００２３】
前記スライダー本体１５２は、前記スライド枠１４２に対応した形状であって、両側面に前記ねじりバー３を貫通させる孔１５３と、背面に前記取付片１５１が当たる凹部１５４と、前記取付片１５１をかしめて取付けるための孔１５５が設けられている。
前記孔１５３の内部には、その略中央に前記孔１５３の開口を狭める壁１５６、１５６と、これらの壁１５６、１５６の先端間に形成されるスリット状の口１５７を備えている。
このスリット状の口１５７の幅は、前記ねじりバー３の厚さと略同一である。
【００２４】
前記ねじりバー３は、薄板状の棒材を所定のねじれ角によって変形させたもので、前記操作スライダー１５の滑動方向に応じて、正転或いは逆転するようになっている。前記ねじりバー３のねじれ角の大きさ、即ち、そのねじれ角によって形成されるねじりバー３の一端３０に対する他端３１の回転角度は、操作者が前記操作スライダー１５を軽くスライドできて、好みの開閉角度を楽しむことができ、さらに各スラット２の開閉角度の微調整が可能なように成形すればよい。
例えば、図６に示したように、前記ねじりバー３の一端３０から他端３１までの長さＬに対し、他端の回転角度は約２１０度のように成形してもよい。同じ寸法Ｌにおいて、回転角度を大きく設定すればするほど、スラット２の開閉角度を大きくすることができるが、大きなスライド力を付与しなければならず操作性は重くなる。一方、回転角度を小さく設定すればするほど、スラット２の開閉角度が小さくなり、操作性が軽くなる。また、同じ回転角度において、ねじりバー３の取付長さを調整することにより、操作スライダー１５のスライド幅に応じてスラット２の開閉角度を調整することができる。
【００２５】
この実施形態では、前記ねじりバー３の取付長さは、各スラット２を約９０度の範囲で開閉できるように設定され、ねじりバー３の両端３０、３１が回転軸３２，３２に固定されると共に、これらの回転軸３２，３２がそれぞれ前記スライド枠１４２に固定された軸受３３、３３に取付けられている。
【００２６】
前記回転軸３２は、図６に図示されているように、前記ねじりバー３の端部を固定する固定円柱部３２０と、この固定円柱部３２０より縮径された回転部３２１とからなる。この回転部３２１には、前記第１の伝達部材５の一端を固定する４角孔３２２が形成されている。これら固定円柱部３２０と回転部３２１間に形成された段差３２３が前記軸受３３の側面に当接することにより、前記ねじりバー３が変位することなく空転し、回転力のみが前記第１の伝達部材５に伝達されるようになっている。なお、前記ねじりバー３と第１の伝達部材５間に前記回転軸３２を介在させることにより、ねじりバー３の円滑な回転を図ると共に、ねじれ角の異なるねじりバー３の交換も容易となる。前記回転軸３２の回転部３２１は、前記内框１２１に設けられた孔１２１ｄ（図５参照）から、その内框１２１の中空部１２１aに突出され、前記第１の伝達部材５の一端５０に連結されている。
【００２７】
前記第１の伝達部材５は、内框１２１の中空部１２１aに収容され、図６に示したように、その一端５０がねじりバー３及び回転軸３２と略同一軸上に配置され、前記回転軸３２の四角孔３２２に固定されている。そして前記一端５０を中心にして、他端５１が前記ねじりバー３の回転に応じて回転する。この第１の伝達部材５は、略小判状に形成されているが、前記一端５０に相当する回転中心部と前記他端５１に相当する回転部を備えていれば、どのような形状でもよい。
【００２８】
前記第１の伝達部材５の他端５１は、前記内框１２１の中空部１２１aに沿って配置されているバー部材４の孔４０に空転可能に取付けられている。前記バー部材４は、前記第１の伝達部材５からの回転に同調させて各スラット２を回転させるもので、各スラット２の配置間隔に応じた孔４１が設けられている。
一方、前記バー部材４の孔４１に対応するように、前記第１の伝達部材５と略同一の形状に成形された第２の伝達部材６の一端６０が、後述のスラットホルダ７を介して前記内框１２１内に回転可能に配置されている。この第２の伝達部材６の他端６１は、前記バー部材４の前記各孔４１に空転可能に配置されており、第２の伝達部材６は、その一端６０を中心にして前記第１の伝達部材５と同調して回転する。
【００２９】
前記スラットホルダ７は、図６等に示したように、前記内框１２１の中空部１２１a内に臨む回転軸７０と、この回転軸７０に同軸的に固定され、且つ、内框１２１の外側面に当接する鍔部７１と、前記スラット２の側面に埋込まれる楔部７２からなっている。
なお、前記スラット２の他端を回転可能に保持するスラットホルダ７Ａ（図４参照）は、前記竪框１３に取付けられており、前記スラットホルダ７と同様に構成されている。
【００３０】
上記戸１と８及び戸１Ａと８Ａは、図４に示したようなヒンジＥにより、連結され、アイボリホワイト、その他のカラーに着色されており、意匠的に室内と調和できるようにしている。
【００３１】
次に、上記のように構成された４枚折戸Ａの折畳機構について戸１と８を戸１Ａと８Ａに代表させて説明する。
折畳機構は図１に示したように、戸１の竪框１２と竪框８２の上下部にそれぞれ取付けられた左右のハングローラーＢ４、Ｂ４及び左右のガイドストッパーＢ５、Ｂ５と、前記左ガイドストッパーＢ５を出没可能に軸支持するピボット受けＢ６と、前記左ハングローラーＢ４と前記ピボット受けＢ６とを芯合わせするハングローラーストッパーＢ７とからなる。
【００３２】
前記左右のハングローラーＢ４、Ｂ４(以下、左ハングローラーＢ４について説明する)は、図２及び図９に示したように前記上ガイド部Ｂ１に沿って走行する車部Ｂ４０と、この車部Ｂ４０を回転可能に支持する本体Ｂ４１と、この本体Ｂ４１に回動可能に取付けられる回動軸Ｂ４２からなり、この回動軸Ｂ４２が前記竪框１２の上端に固着されている。
【００３３】
前記左右のガイドストッパーＢ５、Ｂ５(以下、左ガイドストッパーＢ５について説明する)は、前記竪框１２の下部に配置され、図１０に示したようにその先端部Ｂ５０を備えたロッド部Ｂ５１と、このロッド部Ｂ５１を昇降可能なように支持する本体Ｂ５２と、前記ロッド部Ｂ５１を昇降させる操作部Ｂ５３からなり、前記本体Ｂ５２が前記竪框１２に固着されている。
【００３４】
前記ピボット受けＢ６は、図１１に示したように、前記左ガイドストッパーＢ５のロッド部Ｂ５１の先端部Ｂ５０を出没させる穴Ｂ６０が形成された板状部材で形成され、前記下ガイド部Ｂ２の端部に固定されている。
【００３５】
前記ハングローラーストッパーＢ７は、図１２に示したように弾性を有する板状部材を略Ｖ字状に折曲げて形成したもので、そのＶ字部Ｂ７０が前記左ハングローラーＢ４の本体部Ｂ４１の端部を係止しており、その状態で前記ピボット受けＢ６の穴Ｂ６０と、左ハングローラーＢ４の回動軸Ｂ４２とをそれぞれ略芯出し可能にしている。
そして、略コ字状の形成されたストッパー片Ｂ７１を介して、前記上ガイド部Ｂ１の端部に固定されている。
【００３６】
つぎに、前記４枚折戸Ａを施錠する施錠構成について説明する。
この施錠構成は、前記ガイドストッパーＢ５と略同一構成の締りストッパーＢ９からなり、締りストッパーＢ９は、図１に示したようにその操作部Ｂ５３が前記竪框１３の中部及び上部にそれぞれ配置され、一方、それぞれの先端部Ｂ５０が前記上下ガイド部Ｂ１、Ｂ２のレール溝Ｂ２０に出没可能に構成されている(図２参照)。なお、前記竪框１３の中部に配置された前記操作部Ｂ５３は前記取手９と兼用させてもよい。
【００３７】
次に、上記のように構成された４枚折戸Ａの使用例を説明する。
まず前記スラット２の開閉操作であるが、前記操作スライダー１５をスライドさせると、そのスライド力は、ねじりバー３、回転軸３２、第１の伝達部材５、バー部材４、第２の伝達部材６、スラットホルダ７を介してスラット２に伝達され、各スラット２が前記操作スライダー１５のスライド幅に応じた角度で開放される。
【００３８】
このとき、図７に図示したように前記スライダー本体１５２の壁１５６、１５６の各先端は、その横方向の断面形状がラウンド状に形成され、かつ、前記ねじりバー３の長さ方向に対して略直交に位置する。
【００３９】
よって、前記スライダー本体１５２の壁１５６、１５６は、前記ねじりバー３に対して線状に接触することで、前記スライダー本体１５１に「ガタツキ」が生じることなく、スムーズにスライドさせることができる。
また、前記ねじり状の孔１５２をねじりバー３の「ねじれ」にそって忠実に形成すると、操作スライダー１５を操作する際に、「ガタ」が生じ、一方、全てのねじりバー３に全く同一の「ねじれ」を形成させることの困難性が解消する。
【００４０】
前記操作スライダー１５を中間位置まで移動させると、前記スラット２が半開される。さらに前記操作スライダー１５をスライドさせると、スラット２が全開となる。
なお、各スラット２を閉じるときには、前記操作スライダー１５を反対方向にスライドさせればよい
【００４１】
次に、４枚折戸Ａを折畳む場合であるが、この実施形態では３つの態様がある。
その１つは、図１３に示したようなに、戸１と８、戸１Ａと８Ａをそれぞれ開口部Ｂの左右に折畳む態様である。
この態様では、先ず前記戸１の締りストッパーＢ９の操作部Ｂ５３をスライドさせて、各先端部Ｂ５０を前記上下のガイド部Ｂ１、Ｂ２から解除する。
次に、前記取手９を手前側(室内側)に引くと、前記左ハングローラーＢ４の回動軸Ｂ４２、前記左ガイドストッパーＢ５のロッド部Ｂ５１及びこれらの延長線が中心軸となって、戸１が回転すると共に、前記右ガイドストッパーＢ５の先端部Ｂ５０が下ガイド部Ｂ２のレール溝Ｂ２０に沿って移動しつつ、ヒンジＥを中心に折畳まれる。
戸１Ａと８Ａについても同様な操作を行うことで、折畳むことができる。
【００４２】
その２つは、図１４に示したように、戸１と８及び戸１Ａと８Ａを開口部Ｂの右端に折畳む態様である。
この態様では、先ず上記手順と同様の手順で、戸１Ａと８Ａを開口部Ｂの右端に折畳む。
次に戸１の左ガイドストッパーＢ５の操作部Ｂ５３をスライドさせて、先端部Ｂ５０を前記ピボット受けＢ６から解除する。
そのまま戸１と８を図１４の図面上右方向に若干スライドさせた後、左ガイドストッパーＢ５の操作部Ｂ５３を逆方向にスライドさせて、その先端部Ｂ５０を再び前記下ガイド部Ｂ２に差込むようにして、戸１と８のフラツキを防ぐ。
引続き戸１と８を右端にスライドさせた後、前記戸１の締りストッパーＢ９の操作部Ｂ５３をスライドさせて、各先端部Ｂ５０を前記上下のガイド部Ｂ１、Ｂ２から解除し、前記取手９を手前側(室内側)に引くことで、ヒンジＥを中心に折畳まれる。
【００４３】
その３つは、戸１と８及び戸１Ａと８Ａを開口部Ｂの左端に折畳む態様である。
この態様では、上記態様とは逆に、戸１と８を折畳んだ後、戸１Ａと８Ａを上記手順と同一の手順で行えばよい。
【００４４】
以上のような折戸によれば、第１に、室外側のガラス障子Ｇと室内側の折戸Ａの２重の防犯構造であることから、防犯性が向上する。
第２に、マンションのような集合住宅のように建物の外観に影響を与える製品の設置に制約がある場合でも、折戸Ａは設置の制約に抵触することなく、窓からの防犯対策が不充分なマンション等のテラスサッシ窓部の防犯機能を高めることができる。
第３に室内への、通気性、採光量が確保される。特に、夏季等、ガラス障子Ｇを開放しても、折戸Ａの施錠をしておけば、外部からの侵入を心配することなく、通気を確保でき、外部からの視線も遮断できる。
第４に、前記操作スライダー１５は、前記スライダー本体１５１に「ガタツキ」が生じることなく、スムーズにスライドさせることができ、ねじりバー３と同様にもコストを低減化させることかできる。
第５に、前記左右の内框１２１，１３１に遮光片１２１ｃ，１３１ｃが形成されているので、この点からもプライバシー保護や防犯性に優れている。
第６に、戸１と８及び戸１Ａと８Ａを開口部Ｂの何れか一端に折畳むことができるので、開口部の位置環境に対応させることができる。
【００４５】
なお、前記回転軸３２の回転方向を直交させる部材を、その回転軸３２と第１の伝達部材５間に介在させることにより、前記操作スライダー１５、前記ねじりバー３及び前記回転軸３２を竪框１２、１３側に配置することもできる。また、前記実施形態においては、前記各戸１,８の中框１４の上下にスラットを配置していたが、框内の上部、中部或いは下部など、所定の領域に限定し、これらのスラットを揺動させる揺動機構を設けてもよい。
また、折戸Ａは、室内用のサッシであることから、上記構成の内、強度、水密及び気密性を高める部分は、省くようにしてもよい。例えば、消音部材等である。
【００４６】
［２枚折戸］
図１５及び図１６のように、戸１と戸８により、玄関折戸の２枚折戸Ａ１としてもよい。
この２枚折戸では、前記ピボット受けＢ６と前記ハングローラーストッパーＢ７を開口部Ｂの何れか一端側に配置すればよい。また締りストッパーＢ９は１箇所でもよい。
なお、前記右竪框１３と左竪框８３間にはクッションとなる緩衝材９Ａが配置されている。
また前記中框１４には、郵便物等を投函できるようなポスト口９Ｂが取り付けられている。
その他の構成は、上記４枚折戸の戸１と８と略同一であるので、詳細な説明は省略する。
【００４７】
［その他］
前記開口部の下ガイド部を移動可能なガイドストッパーに対し、出没可能に軸支持するピボット受けと、前記開口部の上ガイド部を移動可能なハングローラーに対し、前記ピボット受けに芯合わせするハングローラーストッパーを設けたので、折畳まれる折戸の位置を開口部の何れか一方の一端に任意に選択することができ、使い勝手に優れた折戸となっている。
よって、６枚折戸、８枚折戸のように、開口部の大きさに合わせて折戸の組数を増やすこともできる。
【図面の簡単な説明】
【００４８】
【図１】折戸の室内側正面図、
【図２】同縦方向断面図、
【図３】同縦方向の要部断面図、
【図４】同横方向の断面図、
【図５】折戸の竪框の要部斜視図、
【図６】揺動機構の分解斜視図、
【図７】（ａ）〜(ｃ)  揺動機構の要部断面図、
【図８】揺動機構の動作説明図、
【図９】（ａ）〜(ｃ)  折畳機構のハングローラーの正面図、側面図、平面図、
【図１０】折畳機構のガイドストッパーの断面図、要部正面図、
【図１１】ピボット受けの取付図、
【図１２】ハングローラーストッパーの取付図、
【図１３】折戸の使用状態図、
【図１４】折戸の使用状態図、
【図１５】２枚折戸の室内側正面図、
【図１６】同横断面図である。
【符号の説明】
【００４９】
Ａ  Ａ１  折戸
Ｂ  開口部
Ｂ１  上ガイド部                    Ｂ２  下ガイド部
Ｂ４  ハングローラー                Ｂ５  ガイドストッパー
Ｂ６  ピボット受け                  Ｂ７  ハングローラーストッパー
Ｂ９  締りストッパー
Ｇ  ガラス障子
１  ８  １Ａ  ８Ａ  戸              ２  スラット
３  ねじりバー                      ４  バー部材
５  第１の伝達部材                  ６  第２の伝達部材
７  ７Ａ  スラットホルダ            １０  上框
１１  下框                          １２  竪框
１３  竪框                          １４  中框(桟状部)
１５  操作スライダー                ３０  一端
３１  他端                          ３２  回転軸
３３  軸受                          ４０  ４１  孔
５０  第１の伝達部材の一端          ５１  他端
６０  第２の伝達部材の一端          ６１  他端
７０  回転軸
７１  鍔部                          ７２  楔部
９  取手                            ９Ａ  緩衝部
１２０  外框                        １２１  内框
１２１a  中空部
１２１ｂ  対向する側面
１２１ｃ  １３１ｃ  遮光片
１２１ｄ  孔
１５０  摘み片                      １５１  ストッパー片
１４２  スライド枠
１５２  スライダー本体              １５３  孔
１５４  凹部                        １５５  孔
１５６、１５６  壁
１５７  スリット状の口
３２０  固定円柱部                  ３２１  回転部
３２２  ４角孔                      ３２３  段差
【図１】
2005240414.tif 000003
【図２】
2005240414.tif 000004
【図３】
2005240414.tif 000005
【図４】
2005240414.tif 000006
【図５】
2005240414.tif 000007
【図６】
2005240414.tif 000008
【図７】
2005240414.tif 000009
【図８】
2005240414.tif 000010
【図９】
2005240414.tif 000011
【図１０】
2005240414.tif 000012
【図１１】
2005240414.tif 000013
【図１２】
2005240414.tif 000014
【図１３】
2005240414.tif 000015
【図１４】
2005240414.tif 000016
【図１５】
2005240414.tif 000017
【図１６】
2005240414.tif 000018